(57)【要約】【課題】  大型化を抑えつつ、アンテナを用いる複数の機能を快適に利用可能な通信端末装置を提供する。【解決手段】  非通話時には、スイッチ部１０３をオンさせ、各チューナー１０２のなかで受信信号の出力が大きいほうを受信選択部８０１に選択させる。それにより、より鮮明なＴＶ映像、より高品質な音声をユーザーに視聴させる。通話時には、通話用にアンテナＡＴ１を用いるために、スイッチ部１０３をオフさせ、チューナーＢ１０２が出力する受信信号を受信選択部８０１に選択させる。【選択図】      図８
2005277787.tif 000002
【特許請求の範囲】
【請求項１】
無線で通話が行える通信端末装置において、
無線信号を受信するための複数のアンテナと、
前記無線信号として音声信号を送受信することにより前記通話を実現させる通話処理手段と、
前記無線信号として送信される放送波を処理する放送波処理手段と、
前記通話処理手段、及び前記放送波処理手段のうちの少なくとも一方の処理手段に処理される無線信号を、前記複数のアンテナがそれぞれ受信する無線信号のなかから選択するための信号選択手段と、
前記通話処理手段、及び前記放送処理手段の動作状態、並びに前記複数のアンテナがそれぞれ受信する無線信号の受信状態に基づいて、前記一方の処理手段に処理させる無線信号を前記信号選択手段により動的に変更する信号管理手段と、
を具備することを特徴とする通信端末装置。
【請求項２】
前記一方の処理手段は前記放送波処理手段であり、
前記通話時に前記信号管理手段は、前記通話処理手段による無線信号の処理を優先させて、前記放送波処理手段に処理させる無線信号を受信するアンテナを前記複数のアンテナのなかから前記信号選択手段により選択する、
ことを特徴とする請求項１記載の通信端末装置。
【請求項３】
前記信号選択手段は、前記通話処理手段、及び前記放送波処理手段のそれぞれに処理さる無線信号を、前記複数のアンテナがそれぞれ受信する無線信号のなかから選択でき、
前記通話時に前記信号管理手段は、前記信号選択手段を用いて、前記複数のアンテナのなかで前記通話処理手段が処理対象とする無線信号の受信状態が良好なアンテナが受信した無線信号を該通話処理手段に処理させる、
ことを特徴とする請求項１、または２記載の通信端末装置。
【発明の詳細な説明】
【技術分野】
【０００１】
本発明は、無線で通話が行える携帯電話機等の通信端末装置に関する。
【背景技術】
【０００２】
携帯電話機やＰＨＳに代表される通話が可能な移動通信端末装置（以降「通信端末」と略記）は現在、社会に広く普及している。近年、その通信端末には、半導体技術の進歩もあって、様々な機能が搭載されている。それにより、現在では幅広い用途に用いられるようになっている。
【０００３】
一方、放送関係では、様々な魅力があるとされる地上デジタル放送が開始されている。その魅力とは、鮮明な画像と奥行きのある音声、多チャンネル放送、データ放送と双方向サービス、モバイル（通信端末）向け放送、などである。そのモバイル向け放送が行われることから、メーカではその放送用の放送受信機能を搭載した通信端末装置の開発が進められている。
【０００４】
放送受信機能を搭載した通信端末装置では、通話（電話機能）と放送（放送受信機能）をユーザーが同時に楽しむという使い方に対応させる必要があると考えられる。そのような使い方に対応させる場合、アンテナは２つ以上、搭載させなければならない。
【０００５】
同じ通信端末装置に搭載しても、装置内に各アンテナが置かれた環境は多少は異なる。そのことを無視したとしても、装置が使用される時の周りの環境や装置で利用している別の機能などにより、各アンテナが受信している無線信号の受信状態に違いや変化が発生するのが普通である。
【０００６】
このようなことから、アンテナを複数、搭載させる場合、それらのなかで無線信号の受信状態の良好なアンテナを割り当てる、所謂ダイバーシティ受信方式を採用することが考えられる。しかし、搭載するアンテナの数が多くなるほど装置の大型化を招くことから、その数を抑えることも考慮すべきと云える。また、アンテナは放送受信機能の他に電話機能でも用いられることから、アンテナの割り当てでは、アンテナを用いる複数の機能をユーザーが快適に利用できるようにすることを重要視すべきであると云える。
【特許文献１】特開平７−１４７６０１号公報
【特許文献２】特開２００３−１６８９９２号公報
【発明の開示】
【発明が解決しようとする課題】
【０００７】
本発明の課題は、大型化を抑えつつ、アンテナを用いる複数の機能を快適に利用可能な通信端末装置を提供することにある。
【課題を解決するための手段】
【０００８】
本発明の通信端末装置は、無線で通話が行えることを前提とし、無線信号を受信するための複数のアンテナと、無線信号として音声信号を送受信することにより通話を実現させる通話処理手段と、無線信号として送信される放送波を処理する放送波処理手段と、通話処理手段、及び放送波処理手段のうちの少なくとも一方の処理手段に処理される無線信号を、複数のアンテナがそれぞれ受信する無線信号のなかから選択するための信号選択手段と、通話処理手段、及び放送処理手段の動作状態、並びに複数のアンテナがそれぞれ受信する無線信号の受信状態に基づいて、一方の処理手段に処理させる無線信号を信号選択手段により動的に変更する信号管理手段と、を具備する。
【０００９】
なお、上記一方の処理手段は放送波処理手段であり、通話時に信号管理手段は、通話処理手段による無線信号の処理を優先させて、放送波処理手段に処理させる無線信号を受信するアンテナを複数のアンテナのなかから信号選択手段により選択する、ことが望ましい。
【００１０】
また、信号選択手段は、通話処理手段、及び放送波処理手段のそれぞれに処理さる無線信号を、複数のアンテナがそれぞれ受信する無線信号のなかから選択でき、通話時に信号管理手段は、信号選択手段を用いて、複数のアンテナのなかで通話処理手段が処理対象とする無線信号の受信状態が良好なアンテナが受信した無線信号を該通話処理手段に処理させる、ことが望ましい。
【発明の効果】
【００１１】
本発明は、複数のアンテナを搭載し、動作にアンテナが必要な複数の機能（処理手段）のうちの少なくとも一つに、他の機能の動作（利用）状態、及び複数のアンテナそれぞれの無線信号の受信状態を考慮して複数のアンテナのなかの一つを動的に選択して割り当てる。
【００１２】
そのようにアンテナの動的な割り当てを行えるようにすることにより、複数のアンテナのうちの少なくとも一つは複数の機能で共用する形となる。その割り当てでは、他の機能の動作（利用）状態も考慮するために、ユーザーにとってより重要と考えられる機能に無線信号の受信状態がより良好なアンテナを割り当てられるようになる。つまり、ユーザーの立場でアンテナの割り当てを最適に行えるようになる。これらのことから、大型化を抑えつつ、アンテナを用いる複数の機能を快適に利用可能な通信端末装置を実現させられることとなる。
【発明を実施するための最良の形態】
【００１３】
以下、本発明の実施の形態について、図面を参照しながら詳細に説明する。
＜第１の実施の形態＞
図１は、第１の実施の形態による通信端末装置の構成図である。その通信端末装置（以降「通信端末」と略記）は、具体的には、携帯電話機、或いはＰＨＳなどの移動通信端末装置である。ここでは携帯電話機であると想定する。
【００１４】
図２に示すように、その通信端末は、アンテナＡＴ１を介して送受信する無線信号の周波数変換、及び変復調等を行う携帯電話用のＲＦ（Radio Frequency）部１０１と、放送用の電波（放送波）のなかで設定チャンネルのものをアンテナＡＴ１により受信して受信信号を出力するテレビジョン（以下「ＴＶ」或いは「テレビ」と略記）用のチューナー１０２と、アンテナＡＴ１が受信した無線信号のチューナー１０２への出力を制御するためのスイッチ部１０３と、チューナー１０２が出力した受信信号を復調するＯＦＤＭ（Orthogonal Frequency Division Multiplexing）復調部１０４と、その復調後の受信信号を復号化して、映像データ、音声データをそれぞれ出力する映像復号部１０５、音声復号部１０６と、端末全体の制御を行うＣＰＵ１０７と、そのＣＰＵ１０７が実行するプログラムや各種制御用データを格納したプログラムＲＯＭ１０８と、ＣＰＵ１０７がワークに用いるワークＲＡＭ１０９と、例えば共に液晶表示装置である２つの表示部１１０、及び１１１と、各表示部１１０、１１１に画像（映像）を表示させる表示ドライバー部１１２と、音声入力用のマイク１１３と、音声放音用のスピーカ１１４と、各種スイッチを有する操作部１１５と、外部からの電流を受電するためのＡＣアダプタ１１６と、充電池１１７と、各部に電流を供給する電源回路１１８と、を備えて構成されている。受信部１５０は、アンテナＡＴ１、ＲＦ部１０１、チューナー１０３、及びスイッチ部１０３を備えた構成となっている。
【００１５】
なお、特には図示していないが、マイク１１３から出力されるアナログの音声信号はＡ／Ｄ変換器によりデジタルの音声信号に変換された後、ＣＰＵ１０７、或いはＲＦ部１０１に出力される。また、スピーカ１１４、及びイヤホン用のジャック（不図示）には、Ｄ／Ａ変換器により変換されたアナログの音声信号が出力される。
【００１６】
上記２つの表示部１１０、及び１１１は、画面の大きさが異なるものである。その画面は、表示部１１０のほうが大きくなっている。このことから、表示部１１０はメイン表示部、表示部１１１はサブ表示部、とそれぞれ呼ぶことにする。
【００１７】
上記ＲＦ部１０１は、携帯電話網から送信された信号を受信し処理するものである。受信した信号は復調して、ＣＰＵ１０７、或いはスピーカ１１４、及びジャック（以降、前者のみを想定する）に出力する。電話による通話時には、その信号をスピーカ１１４に出力することにより接続先（電話がつながった電話機）からの音声を放音させる。マイク１１３からの音声信号は、変調してアンテナＡＴ１を介して送信する。インターネット接続時には、復調した信号（デジタルデータ）をＣＰＵ１０７に出力する。ＣＰＵ１０７からのデータは、変調してアンテナＡＴ１を介して送信する。
【００１８】
チューナー１０２により受信するテレビ放送は、例えばデジタル放送で１セグメントが割り当てられた放送である。そのチューナー１０２により受信された番組のデータは、ＯＦＤＭ復調部１０４で復調され、復調後のデータが映像用、音声用に分けて各復号部１０５、１０６に送られて復号化され、その復号化によって得られた映像データはＣＰＵ１０７を介して表示ドライバー部１１２に送られることにより、メイン表示部１１０に表示される。その復号化によって得られた音声データは、スピーカ１１４に出力されることで音声として放音される。それにより、通信端末は、電話機の他に、テレビとして用いることができる受信機となっている。
【００１９】
チューナー１０２、ＯＦＤＭ復調部１０４、映像復号部１０５、及び音声復号部１０６には、消費電力を抑えるために、テレビ受信機として機能させる場合に電流を供給するようにしている。以降それらをまとめてＴＶ部と呼び、電流を供給することをオン、それを供給しないことをオフと表現することにする。
【００２０】
アンテナＡＴ１とチューナー１０２間に配置されたスイッチ部１０３は、例えばアナログスイッチ、その駆動回路を備えたものである。その駆動回路は、ＣＰＵ１０７からの指示によりアナログスイッチを駆動する。そのようなスイッチ部１０３を配置したことにより、アンテナＡＴ１からチューナー１０２への受信信号の供給、その解除を管理できるようしている。ここでは、チューナー１０３に受信信号を供給できる状態をオン、そうでない状態をオフ、と呼ぶことにする。
【００２１】
アンテナＡＴ１は、ＲＦ部１０１、チューナー１０２に供給する無線信号の受信用とすることで共用とさせている。それにより、搭載するアンテナの数を最小限にして、通信端末の大型化を回避させている。スイッチ部１０３は、通信端末を携帯電話機、及びテレビ受信機の一方のみとして利用できるようにするために用いている。
【００２２】
操作部１１５は、ユーザーが操作の対象となる各種スイッチ、及び各種スイッチに対してユーザーが行った操作を検出する検出回路を備えたものである。テレビ受信機としての機能は、ＴＶスイッチを操作して利用するようにさせている。そのスイッチは、例えばユーザーの操作により維持させる状態を変化させるものである。ここでは、テレビ受信機として動作する状態をオン状態、そうでない状態をオフ状態と呼ぶことにする。
【００２３】
以降は、図２〜図５に示す各処理のフローチャート、並びに図６、及び図７に示す各説明図を参照して、上記構成の通信端末の動作について詳細に説明する。なお、図２〜図５に示す各処理は、例えばＣＰＵ１０７が、プログラムＲＯＭ１０８に格納されたプログラムを実行することで実現される。
【００２４】
図２、図３は、全体処理のフローチャートである。ユーザーが利用するために行う操作方法を限定して着目する形で、電源がオンされた後に実行する処理の全体的な流れの例を抜粋して示したものである。始めに図２、図３を参照して、その全体処理について詳細に説明する。
【００２５】
先ず、ステップ２０１では、電源がオンされたことに伴い、イニシャライズを実行し、通信端末を所定の設定状態にさせる。スイッチ部１０３はオフさせる。続くステップ２０２では、例えばプログラムＲＯＭ１０８から読み出した待受画面をワークＲＡＭ１０９に確保した描画用エリアにストアし、その画面を表示ドライバー部１１２に送出してメイン表示部１１０に表示させる。サブ表示部１１１にも同様にして、待ち受け時の画面を表示させる。次のステップ２０３では、オフフックスイッチが操作されたか否か判定する。そのスイッチをユーザーが操作した場合、その旨が操作部１１５よりＣＰＵ１０７に通知されることから、判定はＹＥＳとなってステップ２０４に移行する。そうでない場合には、判定はＮＯとなって図３のステップ２１２に移行する。
【００２６】
各表示部１１０、１１１に表示させる画面は、ワークＲＡＭ１０９にそれぞれ確保した描画用エリアに、プログラムＲＯＭ１０８から読み出した画像データ（画面やシンボルなど）、或いは映像復号部１０５から送られた画像データを格納することで生成される。表示内容の変更は、その全て、或いは一部を表示ドライバー部１１２に送り、表示させることで実現される。
【００２７】
ステップ２０４では、電話番号入力用の番号入力画面を表示部１１２に表示させる。次のステップ２０５では、操作部１１５への入力操作（ダイヤルキーへの操作）に応じて、その操作により指定された電話番号を入力しメイン表示部１１０に表示させる。続くステップ２０６では、その入力操作が終了するのを待って、ユーザーが指定の電話番号を持つ電話機（以降、「接続先」或いは「相手機」、などと呼ぶ）との接続を要求する発信を行う。入力操作が終了したか否かの判定は、例えば一定時間、入力操作が行われなかったことを条件に行う。
【００２８】
その発信により、携帯電話網側は、指定された相手機の呼び出しを行うための処理を行い、発信した側には、そのことを知らせる呼出音を放音させる処理を行う。このことから、続くステップ２０７では、携帯電話網側からの指示に従い呼出音の放音を行う。その放音は、相手機と接続することで次のステップ２０８の判定がＹＥＳとなるまで行う。ステップ２０９には、そのＹＥＳの判定となって移行する。
【００２９】
なお、上記発信は、例えばＣＰＵ１０７がそれに必要な情報をＲＦ部１０１に送り、それを指示することで行われる。上記呼出音は、放音用の信号をＲＦ部１０１が受信して復調し、復調後の信号が直接、或いはＣＰＵ１０７を介してスピーカ１１４に出力されることで放音される。
【００３０】
相手機が話し中、或いは電源がオフ等の理由により電話がかけられない状態であれば、その旨を通知する信号が携帯電話網側から送信される。相手機の呼び出しは、発信の中止をユーザーが指示することで終了する。このようなことから、発信（発呼）を行わせることで相手機と必ず接続するとは限らない。しかし、そのようなことは特に重要ではないことから、ここでは省略している。これは他でも同様である。
【００３１】
ステップ２０９では、相手機との間で音声信号のやりとりを行うことで通話を実現させる通話処理を実行する。次のステップ２１０では、オンフックスイッチがオンされたか否か判定する。そのスイッチをユーザーが操作した場合、判定はＹＥＳとなり、相手機との接続の切断、つまり終話を携帯電話網側に要求する終話処理をステップ２１１で実行した後、上記ステップ２０２に戻る。そうでない場合には、判定はＮＯとなって上記ステップ２０９に戻る。それにより、終話を要求するまでの間、通話を行える状態を維持する。
【００３２】
上記ステップ２０３の判定がＮＯとなって移行する図３のステップ２１２では、ＴＶスイッチがオフ状態からオン状態となったか否か判定する。そのスイッチをユーザーが操作してオフ状態からオン状態に移行させた場合、判定はＹＥＳとなってステップ２１３に移行し、そうでない場合には、判定はＮＯとなって図２のステップ２０３に戻る。
【００３３】
ステップ２１３では、スイッチ部１０３をオンさせる。次のステップ２１４では、スピーカ１１４に入力させる音声信号の出力先を音声復号部１０６（図中「ＴＶ部」と表記）に切り替える。その次のステップ２１５では、ＴＶ部をオンさせる。そのようにしてテレビ（番組）放送の音声を放音できるように設定してからステップ２１６に移行する。
【００３４】
ステップ２１６では、映像復号部１０５が出力した映像信号（画像データ）を表示ドライバー部１１２に送り、メイン表示部１１０に表示させる。その次のステップ２１７では、音声復号部１０６が出力した音声信号をスピーカ１１４に送り音声を放音させる。その後はステップ２１８に移行して、ＴＶスイッチがオフ状態となったか否か判定する。そのスイッチをユーザーが操作してオン状態からオフ状態にさせた場合、判定はＹＥＳとなり、ステップ２１９でＴＶ部をオフさせ、次のステップ２２０ではスイッチ部１０３をオフさせてから図２のステップ２０２に戻る。一方、そうでない場合には、判定はＮＯとなって上記ステップ２１６に戻る。それにより、放送された映像や音声をユーザーが視聴できる状態を維持させる。
【００３５】
このように、本実施の形態では、テレビ受信機として通信端末を動作させる場合のみ、つまりＴＶ部をオンさせる場合のみスイッチ部１０３をオンさせる。それにより、携帯電話機としての利用を優先させる形でアンテナＡＴ１を共用するようにしている。ＴＶ部をオンさせた状態では、ユーザーによるチャンネル設定が可能となるが、ここではその設定に係わる説明は省略している。
【００３６】
図６は、映像を表示させる場合の画面構成を説明する図である。その映像は、図６に示すように、その表示用エリア（ウインドウ）６０１を確保して、そのエリア内に表示させるようにしている。
【００３７】
図４、及び図５は、着信検知処理のフローチャートである。その検知処理は、電話の着信に対応するために実行されるものである。例えばその着信を検知したＲＦ部１０１が発生させる割込み信号によって起動される。次に図４、及び図５を参照して、その検知処理について詳細に説明する。
【００３８】
先ず、ステップ４０１では、ＴＶ部をオン状態とさせているか否か判定する。テレビ放送の受信中に電話の着信があった場合、ＴＶ部はオンさせていることから、判定はＹＥＳとなってステップ４０２に移行し、そうでない場合には、判定はＮＯとなってステップ４０６に移行する。
【００３９】
ステップ４０２では、図７に示すように、着信を知らせるメッセージを配置した着信中アイコンをメイン表示部１１０に映像と重ねて表示させる。続くステップ４０３では、着信音を放音させるための音声データを例えばプログラムＲＯＭ１０６から読み出してスピーカ１１４に出力することによりその着信音を放音させる。次のステップ４０４では、映像復号部１０６からの映像信号を表示ドライバー部１１２に送り、表示用エリア６０１内の着信中アイコンが重ねられていない部分に表示させる。ステップ４０８には、更にステップ４０５で音声復号部からの音声信号をスピーカ１１４に出力させてから移行する。ステップ４０１の判定がＮＯとなった場合には、ステップ４０６で着信中アイコンをメイン表示部１１０に表示させ、次のステップ４０７で着信音を放音させてからそのステップ４０８に移行する。
【００４０】
ステップ４０８では、オフフックスイッチがオンされたか否か判定する。そのスイッチをユーザーが操作した場合、判定はＹＥＳとなってステップ４０９に移行し、そうでない場合には、判定はＮＯとなって上記ステップ４０１に戻る。それにより、着信の報知を継続させる。
【００４１】
ステップ４０９では、スイッチ部１０３をオフさせる。次のステップ４１０では、スピーカ１１４を受話器用に設定を切り替える。それに続くステップ４１１では、通話中であることを通知するアイコン（図１２参照）をメイン表示部１１０に表示させる。その後は、ステップ４１２で相手機との間で通話を実現させる通話処理を実行してからステップ４１３に移行する。その通話処理を実行することにより、ＲＦ部１０１が復調して出力した音声信号（データ）はスピーカ１１４に送られ、マイク１１３から入力された音声信号（Ａ／Ｄ変換後のデジタル信号である）はＲＦ部１０１に送られて送信される。
【００４２】
ステップ４１３では、オンフックスイッチがオンされたか否か判定する。オンフックスイッチをユーザーが操作した場合、判定はＹＥＳとなり、図５のステップ４１４で終話処理を実行して接続を切断させてからステップ４１５に移行する。そうでない場合には、判定はＮＯとなって上記ステップ４１１に戻る。それにより、通話を行える状態を維持させ、メイン表示部１１０に表示させる通話時間などを更新する。
【００４３】
ステップ４１５では、ＴＶ部がオン状態か否か判定する。ＴＶ部がオン状態であった場合、判定はＹＥＳとなり、スイッチ部１０３をオンさせ、スピーカ１１４に入力させる音声信号の出力先を音声復号部１０６に切り替え、音声復号部１０６が出力した音声信号をスピーカ１１４に送り、映像復号部１０５が出力した映像信号を表示のために表示ドライバー部１１２に送ってから（ステップ４１６〜９）、一連の処理を終了する。そうでない場合には、判定はＮＯとなり、ステップ４２０で待受画面をメイン表示部１１０に表示させるために表示ドライバー部１１２に送ってから一連の処理を終了する。
＜第２の実施の形態＞
上記第１の実施の形態では、１つのアンテナＡＴ１を携帯電話機用、テレビ受信機用に共用させている。これに対し、第２の実施の形態は、アンテナＡＴ１の他にもう一つアンテナを搭載したものである。
【００４４】
第２の実施の形態における通信端末の構成は、第１の実施の形態から受信部１５０が異なっている。受信部１５０以外の構成は基本的に同じである。動作では、受信部１５０の構成の変化によって一部、第１の実施の形態から異なっている。このようなことから、第１の実施の形態と同じ、或いは基本的に同じものには同一の符号を付して、その第１の実施の形態から異なる部分についてのみ説明する。
【００４５】
図８は、第２の実施の形態における受信部の構成図である。
第２の実施の形態では、図８に示すように、アンテナＡＴ２を更に搭載し、そのアンテナＡＴ２にチューナー１０２を接続させることにより、チューナー１０２を２つにしている。各チューナー１０２から出力される受信信号を選択するために受信選択部８０１を用意している。ここでは混乱を避けるために、スイッチ部１０３と接続されているもの（第１の実施の形態で搭載されていたものに相当）はチューナーＡ１０２、アンテナＡＴ２と接続されているものはチューナーＢ１０２とそれぞれ呼ぶことにする。
【００４６】
受信部１５０をそのように構成したことにより、通話時にはアンテナＡＴ１は携帯電話機専用とし、非通話時では、アンテナＡＴ１、ＡＴ２のなかで放送波の受信状態の良い方をテレビ受信機用に割り当てられるようにしている。このため、非通話時ではより鮮明な映像やより奥行きのある音声をユーザーは視聴することができる。それにより、テレビ受信機の機能をユーザーはより快適に利用できることとなる。
【００４７】
第２の実施の形態による通信端末が実行する処理の内容は、全体処理、及び着信検知処理ともに第１の実施の形態から異なる部分がある。以降、その異なる部分について、図９〜図１１に示す各フローチャートを参照して詳細に説明する。
【００４８】
図９は、第２の実施の形態における全体処理のフローチャートである。図２、及び図３に示す全体処理のフローチャートのなかで図３に示す部分に第１の実施の形態から異なっている部分がある。このことから、図９を参照して、その異なっている部分についてのみ説明する。第１の実施の形態から異なっていない処理ステップには同一の符号を付して説明を省略する。
【００４９】
第２の実施の形態では、ステップ２１５の処理を実行した後ステップ９０１に移行する。そのステップ９０１では、チューナーＡ１０２の受信信号の出力（レベル）がチューナーＢ１０２のそれより大きいか否か判定する。アンテナＡＴ１の受信状態のほうが良好であった場合、その関係となることから、判定はＹＥＳとなり、ステップ９０２で受信選択部８０１にチューナーＡ１０２を選択させてからステップ９０３に移行する。そうでない場合には、判定はＮＯとなり、ステップ９０６で逆にチューナーＢ１０２を選択させてからそのステップ９０３に移行する。ステップ９０１の判定は、例えば受信選択部８０１から各チューナー１０２の受信信号レベルを取得して行っている。
【００５０】
ステップ９０３では、映像復号部１０５が出力した映像信号を表示ドライバー部１１２に送り、メイン表示部１１０に表示させる。次のステップ９０４では、音声復号部１０６が出力した音声信号をスピーカ１１４に送り音声を放音させる。その後はステップ９０５に移行して、ＴＶスイッチがオフ状態となったか否か判定する。そのスイッチをユーザーが操作してオン状態からオフ状態にさせた場合、判定はＹＥＳとなってステップ２１９に移行する。そうでない場合には、判定はＮＯとなって上記ステップ９０１に戻る。それにより、各チューナー１０２の受信信号レベル（アンテナＡＴ１、ＡＴ２の受信状態）を監視して、受信信号を出力させるチューナー１０２の選択を必要に応じて切り替えることにより、より望ましい映像と音声をユーザーに視聴させる。
【００５１】
図１０、及び図１１は、着信検知処理のフローチャートである。次に図１０、及び図１１を参照して、第２の実施の形態における着信検知処理について詳細に説明する。ここでも同様に、第１の実施の形態から異なっていない処理ステップには同一の符号を付して説明を省略する。
【００５２】
第２の実施の形態では、ステップ４０８の判定がＹＥＳとなった場合にステップ１００１に移行する。そのステップ１００１では、アンテナＡＴ１は携帯電話機用に割り当てるために、受信選択部８０１にチューナーＢ１０２を選択させる。続くステップ１００２では、スピーカ１１４を受話器用に設定を切り替える。その次のステップ１００３では、着信中アイコンをメイン表示部１１０から消去させる。図１１のステップ１００４にはその後に移行する。
【００５３】
ステップ１００４では、通話中であることを通知するアイコンをメイン表示部１１０に表示させる。次のステップ１００５では、通話処理を実行する。その実行後はステップ１００６に移行して、ＴＶ部がオン状態か否か判定する。そのＴＶ部がオン状態であった場合、判定はＹＥＳとなり、ステップ１００７で映像復号部１０５からの映像信号をメイン表示部１１０に表示させた後、ステップ１００８に移行する。そうでない場合には、判定はＮＯとなり、次にそのステップ１００８に移行する。
【００５４】
このように、第２の実施の形態では、ＴＶ部がオン状態のときに通話が開始すると、図１２に示すように、映像をメイン表示部１１０に表示させるようにしている。それにより、通話時にも映像を楽しめるようにさせている。
【００５５】
ステップ１００８では、オンフックスイッチがオンされたか否か判定する。オンフックスイッチをユーザーが操作した場合、判定はＹＥＳとなり、ステップ１００９で終話処理を実行した後、ステップ１１１０に移行する。そうでない場合には、判定はＮＯとなって上記ステップ１００４に戻る。それにより、通話を行える状態を維持させ、ＴＶ部がオン状態であれば、メイン表示部１１０への映像の表示を継続して行う。
【００５６】
ステップ１１１０では、ＴＶ部がオン状態か否か判定する。ＴＶ部がオン状態であった場合、判定はＹＥＳとなり、次にステップ４１７に移行する。そうでない場合には、判定はＮＯとなってステップ４２０に移行する。
＜第３の実施の形態＞
上記第２の実施の形態では、２つのアンテナＡＴ１、ＡＴ２のうち、アンテナＡＴ２を携帯電話機専用とし、テレビ受信機用のアンテナは、通話状態か否か、及びそれらの放送波の受信状態を考慮して割り当てるようにしている。これに対し、第２の実施の形態は、携帯電話機用としてアンテナＡＴ１、ＡＴ２の何れも割り当てられるようにしたものである。
【００５７】
アンテナＡＴ１、ＡＴ２の何れも携帯電話機用に割り当てられるようにしたことで、ユーザーはより高品質の音声で通話が行えるようになる。このため、第２の実施の形態と比較して、ユーザーは携帯電話機の機能もより快適に利用できることとなる。
【００５８】
第３の実施の形態における通信端末の構成は、第２の実施の形態と同様に、第１の実施の形態から受信部１５０が異なっている。受信部１５０以外の構成は基本的に同じである。動作では、受信部１５０の構成の変化によって一部、第１、及び第２の実施の形態から異なっている。このようなことから、第１の実施の形態と同じ、或いは基本的に同じものには同一の符号を付して、第２の実施の形態から異なる部分についてのみ説明する。
【００５９】
図１３は、第３の実施の形態における受信部の構成図である。
第３の実施の形態では、図１３に示すように、アンテナＡＴ２にＲＦ部１０１を接続させ、そのＲＦ部１０１が出力する受信信号、及びアンテナＡＴ１に接続させたＲＦ部１０１が出力する受信信号のうちの一方を受信選択部１３０１に選択させるようになっている。各アンテナＡＴ１、ＡＴ２にＲＦ部１０１をそれぞれ接続させたことから、アンテナＡＴ２とチューナーＢ１０２間にスイッチ部１０３を配置している。それにより、ＴＶ部がオン状態のときに通話が行われる場合には、通話受信選択部１３０１で受信信号を選択するＲＦ部１０１に応じて、アンテナＡＴ１とチューナーＡ１０２間、或いはアンテナＡＴ２とチューナーＢ１０２間の接続を解除できるようにさせている。ここでも混乱を避けるために、アンテナＡＴ１と接続されているＲＦ部１０１はＲＦ部Ａ１０１、アンテナＡＴ２と接続されているＲＦ部１０１はＲＦ部Ｂ１０１とそれぞれ呼ぶことにする。
【００６０】
第３の実施の形態による通信端末が実行する処理の内容は、全体処理、及び着信検知処理ともに第２の実施の形態から異なる部分がある。以降、処理別に具体的に説明する。
全体処理では、ステップ２１３、２２０が第２の実施の形態から異なっている。第３の実施の形態では、スイッチ部１０３が２つあることから、ステップ２１３では２つのスイッチ部１０３を共にオンさせ、ステップ２２０では２つのスイッチ部１０３を共にオフさせるようになっている。他は第２の実施の形態と同じか、或いは基本的に同じである。
【００６１】
次に、第３の実施の形態における着信検知処理について、図１４、及び図１５に示すフローチャートを参照して詳細に説明する。ここでも、第２の実施の形態から異なっていない処理ステップには同一の符号を付して説明を省略する。
【００６２】
第３の実施の形態では、ステップ４０８の判定がＹＥＳとなった場合にステップ１４０１に移行する。そのステップ１４０１では、スピーカ１１４を受話器用に設定を切り替える。次のステップ１４０２では、着信中アイコンをメイン表示部１１０から消去させる。その後に移行するステップ１４０３では、ＲＦ部Ａを選択しているか否か判定する。ＲＦ部Ａが出力する受信信号を受信選択部１３０１に選択させていた場合、判定はＹＥＳとなり、ステップ１４０４でチューナーＢ１０２が出力する受信信号を受信選択部８０１に選択させた後、図１５のステップ１４０６に移行する。そうでない場合には、判定はＮＯとなり、ステップ１４０５で逆にチューナーＡ１０２が出力する受信信号を受信選択部８０１に選択させた後、そのステップ１４０６に移行する。
【００６３】
第３の実施の形態では、例えば一定時間間隔で発生する割込み信号により図１６に示すタイマインタラプト処理を実行するようになっている。そのインタラプト処理では、ＲＦ部Ａ１０１の受信信号の出力（レベル）がＲＦ部Ｂ１０１のそれより大きいか否か判定し（ステップ１６０１）、ＲＦ部Ａ１０１のほうが大きければ受信選択部１３０１にそれが出力する受信信号を選択させ（ステップ１６０１ＹＥＳ→ステップ１６０２）、ＲＦ部Ｂ１０１のほうがそれ以上であれば受信選択部１３０１にＲＦ部Ｂ１０１が出力する受信信号を選択させる（ステップ１６０１ＮＯ→ステップ１６０３）。
【００６４】
このようなインタラプト処理を実行することにより、ＲＦ部１０１が処理対象とする無線信号のアンテナＡＴ１、ＡＴ２の受信状態を監視し、その受信状態の良いほうをその無線信号の受信用に選択するようにしている。それにより、常により高品質の音声で通話が行えるようにさせている。
【００６５】
図１５のステップ１４０６では、通話中であることを通知するアイコンをメイン表示部１１０に表示させる。次のステップ１４０７では、通話処理を実行する。その実行後はステップ１４０８に移行して、ＴＶ部がオン状態か否か判定する。そのＴＶ部がオン状態であった場合、判定はＹＥＳとなってステップ１４０９に移行し、そうでない場合には、判定はＮＯとなってステップ１４１５に移行する。
【００６６】
ステップ１４０９では、チューナーＢ１０２を選択しているか否か判定する。チューナーＢ１０２が出力する受信信号を受信選択部８０１に選択させていた場合、判定はＹＥＳとなってステップ１４１０に移行し、そうでない場合には、判定はＮＯとなってステップ１４１２に移行する。
【００６７】
ステップ１４１０では、ＲＦ部Ｂ１０１を選択しているか否か判定する。そのＲＦ部Ｂ１０１を選択していた場合、判定はＹＥＳとなり、ステップ１４１１でチューナーＡ１０２を選択した後、ステップ１４１４に移行する。そうでない場合には、判定はＮＯとなってそのステップ１４１４に移行する。
【００６８】
ステップ１４１１でのチューナーＡ１０２の選択は、受信選択部８０１にそれが出力する受信信号を選択させるとともに、ＲＦ部Ｂ１０１に受信信号を出力するアンテナＡＴ１と接続されているスイッチ部１０３はオフ、アンテナＡＴ２とチューナーＡ１０２に接続されているスイッチ部１０３はオンさせることで行われる。
【００６９】
一方のステップ１４１２では、ＲＦ部Ａ１０１を選択しているか否か判定する。そのＲＦ部Ａ１０１を選択していた場合、判定はＹＥＳとなり、ステップ１４１３でステップ１４１１と同様にしてチューナーＢ１０２を選択した後、ステップ１４１４に移行する。そうでない場合には、判定はＮＯとなってそのステップ１４１４に移行する。
【００７０】
ステップ１４１４では、映像復号部１０５からの映像信号を図１２に示すようにメイン表示部１１０に表示させる。次のステップ１４１５では、オンフックスイッチがオンされたか否か判定する。そのスイッチをユーザーが操作した場合、判定はＹＥＳとなってステップ１００９に移行する。そうでない場合には、判定はＮＯとなって上記ステップ１４０６に戻る。それにより、通話を行える状態を維持させ、ＴＶ部がオン状態であれば、図１６に示すタイマインタラプト処理の実行によるＲＦ部１０１の選択切り替えに対応しつつ、メイン表示部１１０への映像の表示を継続して行う。
【００７１】
なお、第２、及び第３の実施の形態では、携帯電話機用の機能を優先させる形でアンテナＡＴ１、ＡＴ２のテレビ受信機用の機能への割り当てを行っているが、その逆とさせても良い。或いはそれらの機能のうちで優先させるほうをユーザーに選択させるようにしても良い。
【００７２】
また、アンテナを用いる機能としては２つだけとなっているが、その機能の数はそれ以上であっても良い。アンテナの数（各機能で割り当て可能な数を含む）は、機能の数、同時に利用可能な機能の数、装置の大きさ、機能の重要性、想定する通信端末の使用環境などを考慮して任意に決定しても良い。
【図面の簡単な説明】
【００７３】
【図１】第１の実施の形態による通信端末装置の構成図である。
【図２】全体処理のフローチャートである。
【図３】全体処理のフローチャートである（続き）。
【図４】着信検知処理のフローチャートである。
【図５】着信検知処理のフローチャートである（続き）。
【図６】映像を表示させる場合の画面構成を説明する図である。
【図７】映像を表示させている場合の着信時における画面構成を説明する図である。
【図８】第２の実施の形態における受信部の構成図である。
【図９】全体処理のフローチャートである（第２の実施の形態：抜粋）。
【図１０】着信検知処理のフローチャートである（第２の実施の形態）。
【図１１】着信検知処理のフローチャートである（第２の実施の形態：続き）。
【図１２】映像を表示させている場合の通話時における画面構成を説明する図である。
【図１３】第３の実施の形態における受信部の構成図である。
【図１４】着信検知処理のフローチャートである（第３の実施の形態）。
【図１５】着信検知処理のフローチャートである（第３の実施の形態：続き）。
【図１６】タイマインタラプト処理のフローチャートである。
【符号の説明】
【００７４】
１０１    ＲＦ部
１０２    チューナー
１０３    スイッチ部
１０４    ＯＦＤＭ復調回路
１０５    映像復号部
１０６    音声復号部
１０７    ＣＰＵ
１０８    プログラムＲＯＭ
１０９    ワークＲＡＭ
１１０、１１１    表示部
１１２    表示ドライバー部
１１３    マイク
１１４    スピーカ
１１５    操作部
１５０    受信部
８０１、１３０１    受信選択部
ＡＴ１、ＡＴ２    アンテナ
【図１】
2005277787.tif 000003
【図２】
2005277787.tif 000004
【図３】
2005277787.tif 000005
【図４】
2005277787.tif 000006
【図５】
2005277787.tif 000007
【図８】
2005277787.tif 000008
【図９】
2005277787.tif 000009
【図１０】
2005277787.tif 000010
【図１１】
2005277787.tif 000011
【図１３】
2005277787.tif 000012
【図１４】
2005277787.tif 000013
【図１５】
2005277787.tif 000014
【図１６】
2005277787.tif 000015
【図６】
2005277787.tif 000016
【図７】
2005277787.tif 000017
【図１２】
2005277787.tif 000018